(57)【要約】【課題】  浴槽排水と洗い場排水との双方が流入する排水トラップにおいて、洗い場排水によって洗い場排水口付近の洗い場床上が水浸しにならない排水トラップを提供する。【解決手段】  洗い場の床下にトラップ本体が設けられ、浴槽排水管５がトラップ本体２側面下部に連結されていると共に、洗い場排水管２０がトラップ本体２上部に連結されており、トラップ本体２内に流入した浴槽排水４及び洗い場排水１５を外部排水路に排水する排水主管７がトラップ本体２に連結されてなる排水トラップにおいて、トラップ本体２内における浴槽排水管５との接続部にあたる浴槽排水口８に、浴槽排水口８を塞ぐ扉９が設けられ、扉９の上方に浮子１１が接続され、トラップ本体２内に貯留されている排水が所定値以上の水量になった時に、浮子１１が浮上することによって、扉９が浴槽排水口８を塞ぐことを特徴とする排水トラップ。【選択図】  図１
2005171707.tif 000002
【特許請求の範囲】
【請求項１】
洗い場の床下に排水が流入する容器状のトラップ本体が設けられ、
浴槽の排水を前記トラップ本体内に流入させる浴槽排水管が前記トラップ本体側面下部に連結されていると共に、洗い場排水を前記トラップ本体内に流入させる洗い場排水管が前記トラップ本体上部に連結されており、
前記トラップ本体内に流入した浴槽排水及び洗い場排水を外部排水路に排水する排水主管が前記トラップ本体に連結されてなる排水トラップにおいて、
前記トラップ本体内における前記浴槽排水管との接続部にあたる浴槽排水口に、前記浴槽排水口を塞ぐ扉が設けられ、前記扉の上方に浮子が接続され、
前記トラップ本体内に貯留されている排水が所定値以上の水量になった時に、前記浮子が浮上することによって、前記扉が前記浴槽排水口を塞ぐことを特徴とする排水トラップ。
【請求項２】
前記浮子に、棒材が上方に突出するように接続されており、
前記棒材は浮子の上下運動に伴って移動して、
前記扉が前記浴槽排水口を塞いだ時に、前記棒材の末端が浴室の床上に設けられた洗い場排水口の蓋近くに位置するようになることを特徴とする請求項１記載の排水トラップ。
【発明の詳細な説明】
【技術分野】
【０００１】
本発明は浴槽排水と洗い場排水の双方が流入される排水トラップに関するものである。
【背景技術】
【０００２】
従来、図９に示すように、浴槽排水と洗い場排水の合流部分に配置された排水トラップにおいては、洗い場の床下に容器状のトラップ本体２１を設け、このトラップ本体２１内に封水筒２２を配置し、浴槽排水をトラップ本体２１に流入させる浴槽排水管２３をトラップ本体２１側面下部に連結し、トラップ本体２１内に流入した浴槽排水及び洗い場排水を外部排水路に排水する排水主管２４をトラップ本体２１の浴槽排水管２３とは反対側の上部に連結し、洗い場とトラップ本体２１内とを封水筒２２を介して連結しているものが知られている。トラップ本体２１は、浴槽排水管２３に接続された内筒２１ａと、該内筒２１ａと同軸に配置され、排水主管２４に接続されている外筒２１ｂとを有し、この内筒２１ａ内に封水筒２２が挿入されて配置されている。
【０００３】
以上のような排水トラップでは、浴槽排水管２３内を流れる浴槽排水は、内筒２１ａ内に流入し、内筒２１ａの内周面と封水筒２２の外周面とのあいだのリング状の隙間を上昇して、内筒２１ａ上端開口部から外筒２１ｂ内に流入し、排水主管２４を通って外部の下水管等に排水される。
【０００４】
また、洗い場の排水は、洗い場排水口２５から封水筒２２内を下降して内筒２１ａ内に流入し、後は浴槽排水と同様に、内筒２１ａの内周面と封水筒２２の外周面との間の隙間、外筒２１ｂ及び排水主管２４を通って外部の下水管等に排水される。
【０００５】
排水後は、内筒２１ａ内に貯留した排水に、封水筒２２の下端部が水没した状態が維持され、排水主管２４と洗い場とをこの貯留水によって遮断し、排水主管２４内から漂ってくる臭気を防止したり、排水主管を通って虫が洗い場に侵入してくることを防止している。
【０００６】
しかしながら、上記従来の排水トラップでは、浴槽排水および洗い場排水が一気にトラップ本体内に流入した時等は、大量の排水を排水主管から一気に排水できずに、トラップ本体の外筒の排水口付近の排水路が満水となった状態で排水が行われるというサイフォン現象が発生してしまうことがある。そして、浴槽や洗い場の排水圧が小さくなった時に、排水路に浴槽や洗い場の空気が流入して、サイフォン現象が遮断され、この時、排水路の排水が一気に排水主管に排水されるため、トラップ本体内でゴポゴポという排水音が発生することがある。このため浴室内の使用者が不快感を覚えるという問題点があった。
【０００７】
以上のような問題点を解決するものとして、次のような排水トラップが知られている。
【０００８】
すなわち、内筒内に浮子を設けており、該浮子を受ける受け口部材が、洗い場排水口に設置されていて、内筒内の水面高さによって浮子が上下移動し、排水トラップ内の水位が高くなると、浮子が上昇して洗い場排水口を遮断して、洗い場排水を一時的に排水トラップ内に流入できなくし、排水トラップ内に貯留されている排水をスムーズに排水主管から排水できるようにしたものである。
【特許文献１】実開平６−８４６８号公報
【発明の開示】
【発明が解決しようとする課題】
【０００９】
特許文献１の発明である排水トラップには以下のような問題点がある。
【００１０】
特許文献１の発明の排水トラップにおいて、浴槽排水と洗い場排水とが同時に流入する場合、浴槽の方が洗い場よりも水位が高いため、浴槽排水の方が水流が激しく、つまり水圧が高くなる。そのため、排水トラップ内には浴槽排水が優先的に流入することになり、大量の浴槽排水が流れ込むと、排水トラップ内の水位が高くなり、内筒内の浮子が上昇する。すると、浮子が洗い場排水口を遮断し、排水トラップ内の排水は洗い場排水口から溢れ出ることはない。
【００１１】
しかし、その反面、洗い場排水口が遮断されているため、洗い場排水が排水トラップ内に流れ込めなくなり、浴室内の洗い場排水口の蓋がある床上付近に、洗い場排水の水溜りができてしまう。水溜り等で濡れている床面はすべり易く、危険であると共に、見た目に不快感を覚える。
【００１２】
また、特許文献１の発明の排水トラップでは、排水トラップ内の水位が上昇すると内筒内に設置されている浮子が上昇し、受け口部材に浮子がはまり、洗い場の排水口を遮断することを特徴としている。ここで、浮子は比重が水よりも小さい材質の浮きボールであり、浮子の受け口部材はゴム等の弾力性のある材料で構成されている。そのため、一旦受け口部材に浮子がはまってしまうと、受け口部材と浮子とが吸着されてはまり合い、水位が下がった時でも、受け口部材の浮子が水位の下降と共に下がることが出来ずに、宙ぶらりん状態になってしまうという事態が起きてしまう可能性がある。
【００１３】
上記のような浮子が受け口部材とはまり合っている状態では、洗い場排水が排水トラップ内に流入することができない。そのため、浮子を浴室の洗い場排水口の外側、つまり、洗い場の床上から直接押して、浮子と受け口部材の吸着を離して、洗い場排水を流し込めるような正常な状態に戻してやらなくてはならないといった面倒な事態が起きてしまう。
【００１４】
本発明は上記事項に鑑みてなしたもので、その目的とするところは、浴槽排水と洗い場排水との双方が流入する排水トラップにおいて、洗い場排水によって洗い場排水口付近の洗い場床上が水浸しにならない排水トラップを提供することにある。
【課題を解決するための手段】
【００１５】
請求項１に係る発明の排水トラップは、洗い場の床下に排水が流入する容器状のトラップ本体が設けられ、浴槽の排水を前記トラップ本体内に流入させる浴槽排水管が前記トラップ本体側面下部に連結されていると共に、洗い場排水を前記トラップ本体内に流入させる洗い場排水管が前記トラップ本体上部に連結されており、前記トラップ本体内に流入した浴槽排水及び洗い場排水を外部排水路に排水する排水主管が前記トラップ本体に連結されてなる排水トラップにおいて、前記トラップ本体内における前記浴槽排水管との接続部にあたる浴槽排水口に、前記浴槽排水口を塞ぐ扉が設けられ、前記扉の上方に浮子が接続され、前記トラップ本体内に貯留されている排水が所定値以上の水量になった時に、前記浮子が浮上することによって、前記扉が前記浴槽排水口を塞ぐことを特徴とする。
【００１６】
請求項２に係る発明の排水トラップは、前記浮子に、棒材が上方に突出するように接続されており、前記棒材は浮子の上下運動に伴って移動して、前記扉が前記浴槽排水口を塞いだ時に、前記棒材の末端が浴室の床上に設けられた洗い場排水口の蓋近くに位置するようになることを特徴とする。
【発明の効果】
【００１７】
請求項１に係る発明の排水トラップによれば、浴槽排水と洗い場排水とが排水トラップ内に流れ込み、排水トラップ内に貯留されている排水が所定置以上の水量になった時、トラップ本体内に設けられた浮子が浮力により上昇することにより、浴槽排水口に設けられた扉が浴槽排水口を塞いでいって、排水トラップ内に過度に浴槽排水が流入することを防ぐことができる。この場合、トラップ本体内には洗い場排水が優先的に流入できることになり、これにより、一旦排水トラップ内に流れ込んだ排水が洗い場排水口から洗い場床上に溢れ出すことを極力防ぐことが可能である。
【００１８】
請求項２に係る発明の排水トラップによれば、排水トラップ内がの水量が増加し、トラップ本体内に貯留されている排水量が所定置以上の水量になり、トラップ本体内に設けられた浮子が浮力により上昇状態である時、浮子に設けられた棒材の末端は、洗い場排水口の蓋付近まで上昇する。これにより、排水トラップ内を上昇してきた棒材の末端を、洗い場にいる使用者が洗い場の床上近くで確認することができ、排水トラップ内に大量の排水が貯留されていることを排水トラップ外部から、つまり洗い場からでも知ることができる。また、常に棒材の一部が洗い場の床上近くで見えている状態が続いているなら、排水トラップ内が髪の毛やゴミ等で詰まって排水主管から排水が流れにくくなっていることをいち早く発見でき、早い段階で排水トラップ内を掃除することができる。
【発明を実施するための最良の形態】
【００１９】
以下、本発明の実施形態を図１〜図８に基づいて説明する。
【００２０】
（実施形態１）
図１、図２に例示したように、この排水トラップは洗い場１の床下に、排水が流入できる容器状のトラップ本体２を設け、該トラップ本体２内に封水筒３を配置し、浴槽排水４をトラップ本体２内に流入させる浴槽排水管５をトラップ本体２側面下部に連結すると共に、トラップ２内に流入した浴槽６及び洗い場１の排水を外部排水路に排水する排水主管７をトラップ本体２上部に連結し、洗い場１とトラップ本体２内とを封水筒３を介して連結したものである。ここで、封水筒３、浴槽排水管５および排水主管７のトラップ本体２との接続部は、通常は接続具（例えば、ボルト）等を用いて接続されているが、これらの接続具は封水筒３、浴槽排水管５および排水主管７の一部に含めてしまうことにする。
【００２１】
トラップ本体２内の浴槽排水管５との接続部である浴槽排水口８のトラップ本体２内側には、上下にスライドするスライド式の扉９が設けられている。この扉９は浴槽排水口８のトラップ本体２内部上方の内壁面に設けられたガイド１０を介して、トラップ本体２内部上方に位置している浮子１１と連結部材１２で連結されている。トラップ本体２内に貯留されている排水が所定置以上の水量になると、それにつれて、浮子１１が排水の浮力によってトラップ本体２内を上昇するので、ガイド１０を介して連結されている扉９も上昇移動して、浴槽排水口８を塞いでいくことになる。
【００２２】
ここで、所定置以上の水量とは、浮力により浮上した浮子１１が扉９を引っ張り上げ始める水量のことである。
【００２３】
扉９は円形形状を有する板材とし、浴槽排水口８をすっぽり覆い隠すことができる大きさであればよい。しかし、扉９の形状は、浴槽排水口８の形状に合わせて決めればよい。また、扉９の材質は、浮子１１の浮力で持ち上げることができるような比較的軽い材質を用いるとよい（例えば、ゴム等）。
【００２４】
浮子１１は比重が水よりも小さい材質（例えば、合成樹脂等）からなる球状の浮きボール等で形成されていることが好ましい。
【００２５】
図３は扉９とレール１３との接続部を示した斜視図である。扉９と浮子１１とはガイド１０を介して連結部材１２で連結されている。扉９はトラップ本体２内下端から浴槽排水口８まで、トラップ本体２の内壁面に設置された２本のレール１３に沿って移動するようになっている（図４）。この２本のレール１３は、地面と垂直にかつ２本のレール１３が略平行になるように、浴槽排水口８の脇にあたるトラップ本体２の内壁面に、トラップ本体２下端からガイド１０内部まで設置されている。該レール１３の断面は、図３に例示したように、板状の扉９の両端を掴むようなコの字形状を有しており、２本のコの字のレール１３に板状の円形の扉９の両縁がはまって扉９は上下移動することになる。
【００２６】
扉９が滑らかにレール１３上を移動できるためには、レール１３と扉９との摩擦係数が小さいことが重要となってくる。そのため、レール１３と扉９との双方に比較的摩擦を生まないような材料を選定してやることが好ましい。２本のレール１３の距離は、円形形状の扉９の直径よりも幾分長く設置し、コの字形状を有しているレール１３のトラップ本体２の内壁面と略垂直に位置している面の幅は、扉９の板厚よも幾分幅広く設けて、扉９とレール１３との摩擦を比較的少なくするようにしなければならない。
【００２７】
扉９は浮子１１とテグス等の比較的軽い素材を連結部材１２に用いて連結するのがよい。その際、連結部材１２は浴槽排水口８の上部のトラップ本体２の内壁面に設置されたガイド１０を通って連結される。ガイド１０には穴が設けられており、該穴に連結部材１２が通っている。該穴は浮子１１の上下移動に伴って移動する連結部材１２の水平方向のぶれをなくするという役割を果たしている。この時、ガイド１０の穴は連結部材１３の最大直径よりも大きい穴を有する必要がある。
【００２８】
以上のような扉９と浮子１１との連結方法は、トラップ本体２内に貯留されている排水が所定置以上の水量になり、扉９によって浴槽排水口８が塞がれた時に、浴槽排水４が流れ込む水圧によって、扉９が吹き飛ばされないように、扉９と浴槽排水口８との間に隙間ができないで、扉９で浴槽排水口８を密封できるような連結方法である。しかし、本実施形態に限られることなく、トラップ本体２内に貯留されている排水が所定値以上の水量になった時、浮子１１の浮上により扉９がなめらかに動いて浴槽排水口８を覆い隠して、浴槽排水４がトラップ本体２内に流入してくる際の水圧によって扉９が吹き飛ばされることなく、扉９によって浴槽排水口８が略密封されているのであれば、扉９と浮子１１との連結方法の如何は問わない。
【００２９】
次に、図１および図４〜図６に基づいて、本発明の排水トラップの使用方法について説明する。
【００３０】
まず、排水トラップ内の水位が低い場合について、図１および図４に基づいて説明する。排水トラップ内の水位が低い場合は、トラップ本体２に接続されている排水主管７内を通る排水量が比較的少なく、浴槽排水口８からも、洗い場排水口１４からも排水が障害なく流れ込むことができ、排水トラップは正常に機能する。この時には、浮子１１の高さの位置まで水位が届いていないため、浮子１１の上下移動は行われず、従って扉９の移動も行われなく、浴槽排水口８は開放された状態にある。
【００３１】
次いで、排水トラップ内の水位が高い場合について、図５および図６に基づいて説明する。トラップ本体２に接続されている排水主管７内を通る排水量が過度に多くなると、排水主管７を通ることができる水量の許容量を超えて、スムーズに排水処理が行われなくなる。するとトラップ本体２内の水位が徐々に高くなって、浮子１１が浮力により上昇し始めて、それに伴って、ガイド１０を介して連結部材１２で連結されている扉９も上昇し始める。
【００３２】
ここで、排水トラップ内に排水が流れ込むパターンは３つある。１つめに洗い場排水１５のみが流れ込む場合、２つめに浴槽排水４のみが流れ込む場合、３つめに洗い場排水１５と浴槽排水４の両方が流れ込む場合である。
【００３３】
まず、洗い場排水１５のみが排水トラップ内に流入する場合において、洗い場排水１５が過度にトラップ本体２内に流れ込み、トラップ本体２内の水位が高くなると、浮子１１の上昇により扉９が徐々に閉められて、浴槽排水口８が閉鎖する。そのため、浴槽排水管５に排水が逆流しない。そして、洗い場排水１５のトラップ本体２内への流れ込みが終わり、排水主管７から排水が流出されていくと、トラップ本体２内の水位が下がり始め、浮子１１が下降し、それに伴って扉９も下降し、浴槽排水口８も徐々に開放されることとなる。
【００３４】
次いで、浴槽排水４のみが排水トラップ内に流入する場合において、浴槽排水４が過度にトラップ本体２内に流れ込み、トラップ本体２内の水位が高くなると、浮子１１の上昇により扉９が徐々に閉められて、浴槽排水口８が閉鎖する。すると、浴槽排水４のトラップ本体２内への流入が一時的に遮断されて、過度にトラップ本体２内に浴槽排水４が流れ込んで、洗い場排水口１４から排水が溢れ出ることがなくなる。水位の高さによって扉９が開閉し、浴槽排水口８の開放度が制御されるため、トラップ本体２内は満水状態にはなるが、それ以上の高さの水位にはならず、浴槽排水４のトラップ本体２内への流れ込みが終わり、排水主管７から排水が流出されていくと、トラップ本体２内の水位が下がり始め、浮子１１が下降し、それに伴って扉９も下降し、浴槽排水口８も徐々に開放されることとなる。
【００３５】
次いで、浴槽排水４と洗い場排水１５との両方が排水トラップ内に流入する場合において、浴槽排水４、および洗い場排水１５が過度にトラップ本体２内に流れ込み、トラップ本体２内の水位が高くなると、浮子１１の上昇により扉９が徐々に閉められて、満水状態に達すると、浴槽排水口８が閉鎖する。すると、浴槽排水４のトラップ本体２内への流入が一時的に遮断されて、排水主管７からトラップ本体２内に蓄えられている排水が流出される一方、洗い場排水１５のみがトラップ本体２内に流れ込むことになる。過度に洗い場排水１５が流れ込もうとすると、洗い場１の床上の洗い場排水口の蓋１７付近に水溜りができる。使用者が洗い場１での水の使用を止め、洗い場排水口の蓋１７付近に溜まっている水溜りの排水が、排水トラップ内部に流入し、水溜まりがなくなると、徐々にトラップ本体２内の水位が下がり、浮子１１も下降し、それに伴って扉９も下降し始め、浴槽排水口８が徐々に開放され、浴槽排水４が流れ込むことができるようになる。ここからは、浴槽排水４のみが流れ込むことになるので、上記記載の浴槽排水４のみがトラップ本体２内に流れ込む場合と同様である。
【００３６】
（実施形態２）
図７は排水トラップ内が低水位の時の、図８は高水位の時の他の実施形態を示した断面図である。浮子１１が上下移動を行うと共に、扉９も同時に上下運動して、トラップ本体２内が高水位の時には、浴槽排水口８を閉鎖し、低水位の時には浴槽排水口８が開放されるという機構は実施形態１と同様である。
【００３７】
本実施形態では、浮子１１の上方に棒材１６を接続し、洗い場排水口１４に向かって突出するように設けられている。棒材１６の洗い場排水口１４側は、低水位の時には、洗い場排水口１４の高さよりも若干突出しており、末端には半球状のマーカー部材１９が取りつけられている。棒材１６とマーカー部材１９は浮子１１の上下移動と共に移動できる。図７に例示したように、トラップ本体２内が低水位である時には、浮子１１の移動がなく、洗い場排水口１４付近に留まったままであるが、図８のように高水位となった場合、浮子１１が上昇し、それと共に棒材１６とマーカー材１８も上昇して、洗い場排水口の蓋１７付近まで上昇する。洗い場の蓋には、透明プラスチック樹脂等で形成された半円形状のマーカー材受け止め部材１９が設けられており、上昇してきたマーカー材１８はマーカー材受け止め部材１９に接触して、洗い場排水口の蓋１７上に姿を現すことになり、これにより、洗い場１の使用者は排水トラップ内が略満水状態であることを察知することができる。
【００３８】
棒材１６は浮子１１の移動に負担をかけない、比較的軽い材料（例えば、合成樹脂等）で形成する必要がある。しかし、棒材１６の材質は上方に突出できるような硬度を持った材料であれば、材料の如何は問わない。棒材１６の長さは、トラップ本体２内が所定値以上の水量が貯留され、浴槽排水口８の扉が閉まった時に、マーカー材１８の上面が、マーカー材受け止め部材１９の半円内面に接触するような長さであればよい。
【００３９】
また、マーカー材１８はマーカー材受け止め部材１９に接触するので、軟らかい材料（例えば、ゴム等）で形成するとよい。また、マーカー材１８の色は、洗い場１にいる使用者が、マーカー材１８をはっきりと確認できる赤等の色で形成されているとよい。しかし、マーカー材１８の材料および色は使用者にとってマーカー材１８の存在が分かり易ければ、その如何は問わない。
【００４０】
マーカー材受け止め部材１９は、洗い場排水口の蓋１７の一部に組み込まれていて、半円形状の突出部が、洗い場排水口の蓋１７上に設けられていることが好ましい。しかし、洗い場１では使用者は裸足であるため、マーカー材受け止め部材１９が鋭い形状を有していると足を怪我をしてしまう可能性がある。よって、マーカー材受け止め部材１９は足を怪我をしない柔らかな素材であって、足との接触面は滑らかな形状を有していることが好ましい。しかし、使用者の使い勝手により、その形状の如何は問わない。マーカー材受け止め部材１９は、マーカー材１８がマーカー受け止め部材１９の半円内面に接触した時に、洗い場１からその存在を確認できるように、透明な材料で作られている必要がある。
【００４１】
以上のような洗い場１を使用している使用者に、排水トラップ内が略満水状態であることを知らせる手段は、比較的手の込んだものである。よって、マーカー材１８やマーカー材受け止め部材１９を付けずに、トラップ本体２内が満水状態になった時に、棒材１６のみが洗い場排水口の蓋１７よりも上方に突出されるような簡易なものであってもよい。
【図面の簡単な説明】
【００４２】
【図１】本発明の排水トラップの水位が低い場合の浴槽排水口と排水主管とを通る断面で切断した時の断面図である。
【図２】本発明の排水トラップの設置状態を示した概要図である。
【図３】本発明の排水トラップの扉とレールとの接続部を示した斜視図である。
【図４】本発明の排水トラップの図１におけるＡ−Ｂ断面の断面図である。
【図５】本発明の排水トラップの満水状態の場合の浴槽排水口と排水主管とを通る断面で切断した時の断面図である。
【図６】本発明の排水トラップの図５におけるＣ−Ｄ断面の断面図である。
【図７】本発明の排水トラップ内の水位が低い場合の浴槽排水口と排水主管を通る断面で切断した時の他の実施形態の断面図である。
【図８】本発明の排水トラップ内が所定値以上の水量になった場合の浴槽排水口と排水主管を通る断面で切断した時の他の実施形態の断面図である。
【図９】従来の排水トラップの浴槽排水口と排水主管を通る断面で切断した時の断面図である。
【符号の説明】
【００４３】
１．洗い場
２．トラップ本体
３．封水筒
４．浴槽排水
５．浴槽排水管
６．浴槽
７．排水主管
８．浴槽排水口
９．扉
１０．ガイド
１１．浮子
１２．連結部材
１３．レール
１４．洗い場排水口
１５．洗い場排水
１６．棒材
１７．洗い場排水口の蓋
１８．マーカー材
１９．マーカー材受け止め部材
２０．洗い場排水管
【図１】
2005171707.tif 000003
【図２】
2005171707.tif 000004
【図３】
2005171707.tif 000005
【図４】
2005171707.tif 000006
【図５】
2005171707.tif 000007
【図６】
2005171707.tif 000008
【図７】
2005171707.tif 000009
【図８】
2005171707.tif 000010
【図９】
2005171707.tif 000011